(57)【要約】【課題】  電機掃除機の使用時に、ごみの吸引と床の拭き掃除を同時にする事ができる、掃除機変身ヘッドを提供する。【解決手段】  電機掃除機のごみ吸引機能の他、拭き掃除の機能を追加するため、電機掃除機ヘッドに掃除シートを取り付ける役目の補助板を作り、電機掃除機ヘッドの吸い込み口後方のスペースの両端、そこに、から拭き用の繊維が取り付けてある場合はその両端に、面ファスナーのループ部分を接着し、ここに補助板が接合できるよう、補助板の片面の両端に面ファスナーのフック部分を接着し、電機掃除機ヘッドの吸い込み口後方のスペースの両端に接着した面ファスナーのループ部分と接合させ固定し、補助板のもう片面は、床に接する面であり、ここに面ファスナーのフック部分を全面に接着し、掃除シートを取り付けたことを特徴とする掃除機変身ヘッド。【選択図】図１
2011062498.tif 000002
【特許請求の範囲】
【請求項１】
電機掃除機のごみの吸引機能の他、拭き掃除の機能を追加するため、電機掃除機ヘッドに掃除シートを取り付ける役目の補助板を作り、電機掃除機ヘッドの吸い込み口後方のスペースの両端、そこに、から拭き用の繊維が取り付けてある場合はその両端に、面ファスナーのループ部分を接着し、ここに補助板が接合できるよう、補助板の片面の両端に面ファスナーのフック部分を接着し、電機掃除機ヘッドの吸い込み口後方のスペースの両端に接着した面ファスナーのループ部分と接合させ固定し、補助板のもう片面は、床に接する面であり、ここに面ファスナーのフック部分を全面に接着し、掃除シートを取り付けたことを特徴とする掃除機変身ヘッド。
【発明の詳細な説明】
【技術の分野】
【０００１】  本発明は、電機掃除機の使用時に、ごみの吸引と床の拭き掃除を同時にする事ができる、掃除機変身ヘッドに関するものである。
【背景技術】
【０００２】  従来、電機掃除機の目的は、ごみの吸引が主で、拭き掃除用として、電機掃除機ヘッドの吸い込み口後方に、から拭き用の繊維が付いている物もあるが、固定されており、汚れても取替えできない。最近では、掃除シート対応で、吸い込みながら拭き掃除ができる機能を備えた電機掃除機や、掃除シート付き電機掃除ロボットが販売されているが、いずれも高価である。
【発明の概要】
【発明が解決しようとする課題】
【０００３】  そのために、次のような問題点があった。
（イ）電機掃除機でごみを吸引後、雑巾やドライシート、ウエットシートで拭き掃除をし      ていたため、手間がかかっていた。
（ロ）掃除機ヘッドの吸い込み口後方に、から拭き用に付いている繊維は固定されている      ため、取替えできず、不衛生であり、拭き掃除の役目を果たしていなかった。
（ハ）不況下で、生活費を切り詰める家庭が多いため、便利な掃除シート対応の電機掃除      機や、掃除シート付き電機掃除ロボットも、買い換えが困難で活用されにくい。
本発明は、これらの問題点を解決するためになされたものである。
【課題を解決するための手段】
【０００４】  電機掃除機のごみの吸引機能の他、拭き掃除の機能を追加するため、電機掃除機ヘッドに掃除シートを取り付ける役目の補助板を作る。電機掃除機ヘッドの吸い込み口後方のスペースの両端、そこに、から拭き用の繊維が取り付けてある場合はその両端に、面ファスナーのループ部分を接着する。ここに補助板が接合できるよう、補助板の片面の両端に面ファスナーのフック部分を接着し、電機掃除機ヘッドの吸い込み口後方のスペースの両端に接着した面ファスナーのループ部分と接合させ固定する。補助板のもう片面は、床に接する面であり、ここに面ファスナーのフック部分を全面に接着し、掃除シートを取り付ける。以上を特徴とする掃除機変身ヘッドである。
【発明の効果】
【０００５】  本発明は、電機掃除機１本でごみの吸引と床の拭き掃除が同時にできるので、掃除時間が短縮され便利である。拭き掃除で汚れた掃除シートは、全面面ファスナーのフック部分から取り外し、新しい掃除シートに取り替えができるので衛生的であり、掃除シートは、１枚を何等分かして使えるので経済的である。
又、現在使用中の電機掃除機ヘッドに、面ファスナーを接着した補助板を接合するだけなので、取り扱いが簡単で、経済的であり、粗大ゴミが出ないので、環境に優しく、どの家庭でも手軽に買うことができる。
【図面の簡単な説明】
【０００６】
【図１】本発明の斜視図
【図２】電機掃除機ヘッドに面ファスナーのループ部分を接着した図
【図３】補助板斜視図
【図４】電機掃除機ヘッドと補助板を接合した図
【図５】本発明の使用状態を示す斜視図
【発明を実施するための形態】
【０００７】  以下、本発明の実施の形態を説明する。
（イ）図２に示したように、電機掃除機ヘッド（１）の吸い込み口（２）後方のスペー        ス（３）の両端に面ファスナーのループ部分（５）を接着する。後方スペース（        ３）の場所に、から拭き用の繊維（４）が取り付けてある場合は、から拭き用繊        維（４）の両端に面ファスナーのループ部分（５）を接着し、から拭き用繊維（        ４）の上に補助板（６）が乗るようにする。
（ロ）図３の補助板（６）の寸法は、電機掃除機ヘッド（１）の横幅を補助板（６）の        横の長さとし、吸い込み口（２）後方のスペース（３）の幅を縦の長さとする。        この補助板（６）の片面の両端に、両端面ファスナーのフック部分（７）を接着        し、もう片面の全面に、全面面ファスナーのフック部分（８）を接着する。
（ハ）図４に示したように、電機掃除機ヘッド（１）の吸い込み口（２）後方のスペー        ス（３）の両端の面ファスナーのループ部分（５）と補助板（６）の両端の両端        面ファスナーのフック部分（７）とを接合した接合箇所（１０）において補助板        （６）を固定する。
（ニ）図１に示したように、電機掃除機ヘッド（１）に固定された補助板（６）の、床        に接する面に接着した全面面ファスナーのフック部分（８）に掃除シート（９）        を取り付ける。掃除シート（９）は市販されている吸塵シートのドライシートや        ウエットシートのどちらを使用してもよく、１枚を何等分かして使う。
（ホ）図５に示したように、床の掃除をすると、ごみの吸引と同時に、電機掃除機ヘッ        ド（１）に固定された補助板（６）に取り付けられた掃除シート（９）によって        、拭き掃除ができる。
本発明は、以上の構成からなるので、これを使用すると、掃除機本来のゴミの吸引機能に加え、図１に示したように、補助板（６）に取り付けられた掃除シート（９）が床の拭き掃除をするので、今まで別々に行っていた掃除が同時にでき、時間の短縮になり便利である。掃除シート（９）が汚れたら、図３の補助板（６）の全面面ファスナーのフック部分（８）から取り外し、新しい掃除シート（９）を取り付ける。この掃除シート（９）は１枚を何等分かに切って使用するため、経済的である。電機掃除機ヘッド（１）と補助板（６）の接合と離脱が簡単なため、絨毯を掃除する時も、電機掃除機ヘッド（１）から補助板（６）を離脱させるだけで使用でき、手間がかからない。図２に示したように、電機掃除機ヘッド（１）の吸い込み口（２）後方のスペース（３）の両端に接着した面ファスナーのループ部分（５）は、布テープの表面に無数の輪の形の繊維を植毛した、引っ掛けられる機能を持ったファスナーなので、電機掃除機ヘッド（１）に接着したまま使用しても、ごみが絡む事もなく安心して掃除ができる。
【符号の説明】
【０００８】    １  電気掃除機ヘッド
２  吸い込み口
３  後方のスペース
４  から拭き用の繊維
５  面ファスナーのループ部分
６  補助板
７  両端面ファスナーのフック部分
８  全面面ファスナーのフック部分
９  掃除シート
１０  接合箇所
【図１】
2011062498.tif 000003
【図２】
2011062498.tif 000004
【図３】
2011062498.tif 000005
【図４】
2011062498.tif 000006
【図５】
2011062498.tif 000007